(57)【要約】【課題】レンズ装置において、レンズ鏡筒内には、フレキシブルプリント基板の挿通路が形成され、挿通路は、その内周部の全幅を有する下段部と、中央部近傍の隔壁で左右に分割された上段部とが上下仕切板で仕切られた上下二段で構成される。これにより、簡単に組み立てられ、フレキシブルプリント基板を安全にガイドできるレンズ装置及びその組立方法を提供する。【解決手段】レンズ装置２において、レンズ鏡筒内には、フレキシブルプリント基板の挿通路６２が形成され、挿通路６２は、その内周部の全幅を有する下段部６５ａと、中央部近傍の隔壁６４で左右に分割された上段部とが上下仕切板６３で仕切られた上下二段で構成される。【選択図】　図６
2004004420.tif 000002
【特許請求の範囲】
【請求項１】
レンズ鏡筒内にフレキシブルプリント基板が配設されるレンズ装置において、
前記レンズ鏡筒内には、フレキシブルプリント基板の挿通路が形成され、該挿通路は、その内周部の全幅を有する下段部と、中央部近傍の隔壁で左右に分割された上段部とが上下仕切板で仕切られた上下二段で構成されていることを特徴とするレンズ装置。
【請求項２】
前記上下仕切板は前記挿通路の全長に達しない長さであり、該上下仕切板の一端部は前記挿通路の一端部と略同一長手方向位置に配されており、
該上下仕切板の他端部と前記挿通路の他端部との間における前記隔壁の端辺形状は、該上下仕切板の他端部と前記挿通路の他端部上端とを結ぶ段差部のない直線形状又は段差部のない曲線形状となっている請求項１に記載のレンズ装置。
【請求項３】
前記上下仕切板は前記挿通路の全長に達しない長さであり、該上下仕切板の一端部及び他端部は前記挿通路の端部より内側の長手方向位置に配されており、
前記上下仕切板の一端部と前記挿通路の一端部及び前記上下仕切板の他端部と前記挿通路の他端部との間における前記隔壁の端辺形状は、前記上下仕切板の端部と前記挿通路の端部上端とを結ぶ段差部のない直線形状又は段差部のない曲線形状となっている請求項１に記載のレンズ装置。
【請求項４】
レンズ鏡筒内にフレキシブルプリント基板が配設されるレンズ装置の組立方法において、
レンズ鏡筒に形成された挿通路であって、内周部の全幅を有する下段部と、中央部近傍の隔壁で左右に分割された上段部とが上下仕切板で仕切られた上下二段で構成されている挿通路を使用し、
前記下段部に該下段部の一端部側よりフレキシブルプリント基板を挿通したのち、他端部側のフレキシブルプリント基板に折曲部を設け、該折曲部を前記上段部に該上段部の他端部側より挿通させることを特徴とするレンズ装置の組立方法。
【発明の詳細な説明】
【０００１】
【発明の属する技術分野】
本発明はレンズ装置に係り、特にズーム機能を備えた沈胴式のカメラに用いられるレンズ装置及びその組立方法に関するものである。
【０００２】
【従来の技術】
近年、電子スチルカメラなどに用いられるレンズ装置は、そのコンパクト化の要請から、レンズ鏡筒内にアクチュエータを収納したものが増えている。この種のレンズ装置では、シャッターや絞りなどの駆動制御をカメラ本体側から行えるようにするために、シャッターなどのユニットとカメラ本体の制御部とをフレキシブルプリント基板で接続するようにしている。そして、そのフレキシブルプリント基板は、ズームや沈胴などによる移動に耐えうるようループをもってレンズ鏡筒内に配設されており、そのループ部は、移動に伴う暴れを防止するために、レンズ鏡筒に形成された挿通路に通されている。
【０００３】
ところで、フレキシブルプリント基板は、一般に帯状に形成されるが、その両端部は接続用のために、中間部よりも幅広に形成される。このため、レンズ鏡筒に形成される挿通路は、フレキシブルプリント基板の両端接続部が挿通できるようにするために、その両端接続部の幅とほぼ同じ幅をもって形成されている。
【０００４】
しかし、挿通路の幅をフレキシブルプリント基板の両端接続部と同じ幅に形成すると、挿通されたフレキシブルプリント基板が幅方向に遊びを持ってしまい、ループの移動に伴って暴れが生じてしまうという欠点がある。
【０００５】
これを防止するため、図１６に示されるように、従来は、レンズ鏡筒１０１内に設けられた挿通路１０２内に所定高さの衝立１０３を設け、この衝立１０３によってフレキシブルプリント基板の幅方向の移動を規制するようにしていた。すなわち、上部にフレキシブルプリント基板の両端接続部が挿通できるだけの空隙１０４を残して挿通路１０２内に衝立１０３を形成し、両端接続部の挿通時は、この空隙１０４を通して両端接続部を挿通するとともに、挿通されたフレキシブルプリント基板は、衝立１０３によって幅方向の移動を規制するようにしていた。
【０００６】
あるいは、上記のように挿通路に通してフレキシブルプリント基板の暴れを防止するのではなく、実公平４−２２３３２号公報に開示されているように、別途フレキシブルプリント基板のガイド機構を設け、このガイド機構によってフレキシブルプリント基板の暴れを防止していた。
【０００７】
また、特開２００１−２３５６６７号公報に開示されているように、フレキシブルプリント基板を挿通路に通した後に仕切板を取り付ける構成も提案されている。
【０００８】
【発明が解決しようとする課題】
しかしながら、挿通路内に衝立を形成することによってフレキシブルプリント基板の幅方向の移動を規制する方法では、フレキシブルプリント基板のループが動くと、図１７に示される衝立１０３の上部や衝立１０３の段差部１０３ａにループが引っ掛かったり、空隙部にループが挟まったりして、フレキシブルプリント基板６０が破損するという問題があった。また、狭い空隙に両端接続部を通さなければならず、組み立て作業が極めて面倒であった。
【０００９】
同様に、図１６及び図１７に示される従来の構成では、図１７（ａ）及び（ｂ）に示されるように、フレキシブルプリント基板６０のループ６０ｄが挿通路１０２の空隙１０４により保持されることを想定しているが、場合によっては同図（ｃ）に示されるようにループ６０ｄが挿通路１０２の空隙１０４から外れ、その結果、フレキシブルプリント基板６０の暴れが生じてしまうという欠点がある。
【００１０】
また、別途フレキシブルプリント基板のガイド機構を設ける方法では、レンズ装置が大型化するという欠点があった。
【００１１】
また、フレキシブルプリント基板を挿通路に通した後に仕切板を取り付ける方法では、工数が増えるので好ましくない。
【００１２】
本発明は、このような事情に鑑みてなされたもので、簡単に組み立てられ、フレキシブルプリント基板を安全にガイドできるレンズ装置及びその組立方法を提供することを目的とする。
【００１３】
【課題を解決するための手段】
本発明は、前記目的を達成するために、レンズ鏡筒内にフレキシブルプリント基板が配設されるレンズ装置において、前記レンズ鏡筒内には、フレキシブルプリント基板の挿通路が形成され、該挿通路は、その内周部の全幅を有する下段部と、中央部近傍の隔壁で左右に分割された上段部とが上下仕切板で仕切られた上下二段で構成されていることを特徴とするレンズ装置を提供する。
【００１４】
また、本発明は、レンズ鏡筒内にフレキシブルプリント基板が配設されるレンズ装置の組立方法において、レンズ鏡筒に形成された挿通路であって、内周部の全幅を有する下段部と、中央部近傍の隔壁で左右に分割された上段部とが上下仕切板で仕切られた上下二段で構成されている挿通路を使用し、前記下段部に該下段部の一端部側よりフレキシブルプリント基板を挿通したのち、他端部側のフレキシブルプリント基板に折曲部を設け、該折曲部を前記上段部に該上段部の他端部側より挿通させることを特徴とするレンズ装置の組立方法を提供する。
【００１５】
本発明によれば、レンズ鏡筒内にはフレキシブルプリント基板の挿通路が形成されている。そしてその挿通路は、内周部の全幅を有する下段部と、中央部近傍の隔壁で左右に分割された上段部と、の上下二段で構成されている。
【００１６】
たとえば、両端部が幅広に形成されたフレキシブルプリント基板を挿通路に挿通する場合は、次のように挿通することができる。すなわち、まず、下段部に該下段部の一端部側よりフレキシブルプリント基板を挿通する。次いで、その挿通したフレキシブルプリント基板の他端部側に折曲部を設け、該折曲部を左右いずれかの上段部に他端部側より挿通させる。これにより、フレキシブルプリント基板は、幅方向に遊びを持つことなく挿通路（左右いずれかの上段部）に挿通できる。
【００１７】
また、上段部と下段部とは上下仕切板により仕切られており、該上下仕切板とフレキシブルプリント基板とが係合することにより、従来例（図１７（ｃ）参照）のようにフレキシブルプリント基板のループが挿通路から外れることはない。
【００１８】
さらに、下段部は内周部の全幅を有するので、フレキシブルプリント基板の幅広部を簡便に挿通でき、短時間でレンズ装置を組み立てることができる。
【００１９】
本発明において、前記上下仕切板は前記挿通路の全長に達しない長さであり、該上下仕切板の一端部は前記挿通路の一端部と略同一長手方向位置に配されており、該上下仕切板の他端部と前記挿通路の他端部との間における前記隔壁の端辺形状は、該上下仕切板の他端部と前記挿通路の他端部上端とを結ぶ段差部のない直線形状又は段差部のない曲線形状となっていることが好ましい。
【００２０】
また、本発明において、前記上下仕切板は前記挿通路の全長に達しない長さであり、該上下仕切板の一端部及び他端部は前記挿通路の端部より内側の長手方向位置に配されており、前記上下仕切板の一端部と前記挿通路の一端部及び前記上下仕切板の他端部と前記挿通路の他端部との間における前記隔壁の端辺形状は、前記上下仕切板の端部と前記挿通路の端部上端とを結ぶ段差部のない直線形状又は段差部のない曲線形状となっていることが好ましい。
【００２１】
このような上下仕切板の形状となっていれば、従来例（図１７参照）のような段差部１０３ａがないので、フレキシブルプリント基板のループが引っ掛かる不具合が生じないからである。
【００２２】
【発明の実施の形態】
以下、添付図面に従って本発明に係るレンズ装置及びその組立方法の好ましい実施の形態（本実施の第一の形態）について詳説する。
【００２３】
図１は、本発明に係るレンズ装置が適用される電子スチルカメラの外観構成を示す斜視図である。
【００２４】
同図に示されるように、この電子スチルカメラ１は、そのカメラ本体が矩形の箱型に形成されており、その正面部にはレンズ装置２、ファインダ窓３、ストロボ調光センサ４、セルフタイマーランプ５などが配設されている。また、その上面部にはポップアップ式のストロボ６や、レリーズスイッチ７などが配設され、その背面部には、図示しないファインダ接眼部や液晶表示パネル、操作キーなどが配設されている。この電子スチルカメラ１は沈胴式であり、レンズ装置２は使用時にのみ、そのレンズ鏡筒がカメラ本体から繰り出され、カメラ本体の正面部から突出する。
【００２５】
図２は、上記の電子スチルカメラ１に適用されるレンズ装置２の分解斜視図である。また、図３〜図５は、それぞれ上記の電子スチルカメラ１に適用されるレンズ装置２の側面断面図である。なお、図３は、レンズ装置２が沈胴位置の状態のときを示しており、図４と図５は、それぞれレンズ装置２がテレ位置の状態のときとワイド位置の状態のときとを示している。
【００２６】
図２〜図５に示されるように、このレンズ装置２は、第１レンズ１１、第２レンズ１２、第１レンズ筒１３、第２レンズ筒１４、移動筒１５、固定筒１６、回転筒１７及び絞りシャッターユニット１８で構成されている。
【００２７】
回転筒１７は、その外周面にギヤ部１７ａが形成されている。このギヤ部１７ａにはズーム用モータ１９の駆動が伝達される。回転筒１７は、このギヤ部１７ａにズーム用モータ１９の駆動が伝達されることにより、固定筒１６の外周に接しながら回動される。
【００２８】
レンズ装置２は、回転筒１７が『初期位置』から『中間位置』までの『収納回転域』で回転することにより、その状態が図３に示される沈胴位置の状態から図４に示されるテレ位置の状態に変更される。また、回転筒１７が、『中間位置』から『終端位置』までの『変倍回転域』で回転することにより、その状態が図４に示されるテレ位置の状態から図５に示されるワイド位置の状態に変更される。
【００２９】
回転筒１７の内周面には、第２レンズ筒１４を光軸２０の方向に移動させるための第２レンズ用カムユニット２１と、移動筒１５を光軸２０の方向にガイドするための移動筒用直進ガイド溝２２とが形成されている。この第２レンズ用カムユニット２１と移動筒用直進ガイド溝２２とは、それぞれ光軸２０の回りの３分割位置に形成されている。
【００３０】
固定筒１６は、その周面に第２レンズ筒１４を光軸２０の方向に直進的にガイドするための第２レンズ用直進ガイド開口２３と、移動筒１５を光軸２０の方向に移動させるための移動筒用カム２４とが形成されている。この第２レンズ用直進ガイド開口２３と移動筒用カム２４とは、それぞれ光軸２０の回りの３分割位置に形成されている。
【００３１】
移動筒１５は、その外周面に移動筒カムフォロア２５が設けられている。この移動筒カムフォロア２５は、光軸２０の回りの３分割位置に設けられており、固定筒１６に形成された移動筒用カム２４と、回転筒１７に形成された移動筒用直進ガイド溝２２とに係合されている。そして、この移動筒用カム２４と移動筒用直進ガイド溝２２との作用によって、回転筒１７が回転すると、移動筒１５が固定筒１６に対して回転しながら光軸２０の方向に移動する。
【００３２】
また、この移動筒１５には、その内周面に第１レンズ筒１３を光軸２０の方向に移動させるための第１レンズ用カム２６が形成されている。この第１レンズ用カム２６は、光軸２０の回りの３分割位置に設けられている。
【００３３】
第１レンズ筒１３は、その内周面に直進ガイド溝２７が形成されている。この直進ガイド溝２７には、第２レンズ筒１４に形成された直進ガイド突起３０が係合されている。
【００３４】
また、この第１レンズ筒１３は、その外周面に第１レンズ用カムフォロア２８が設けられている。この第１レンズ用カムフォロア２８は、光軸２０の回りの３分割位置に設けられており、移動筒１５の内周面に形成された第１レンズ用カム２６に係合されている。この第１レンズ用カム２６と、後述する第２レンズ筒１４による直進ガイドの作用とによって、移動筒１５が回転すると、第１レンズ筒１３が移動筒１５に対して光軸２０の方向に直進的に移動する。
【００３５】
第１レンズ１１は、第１レンズ筒１３の先端内周部に保持されており、第１レンズ筒１３とともに移動する。
【００３６】
第２レンズ筒１４は、その外周面に第２レンズ用カムフォロアユニット２９が設けられている。この第２レンズ用カムフォロアユニット２９は、光軸２０の回りの３分割位置に設けられており、第２レンズ用カムユニット２１と第２レンズ用直進ガイド開口２３とに係合されている。そして、この第２レンズ用カムユニット２１と第２レンズ用直進ガイド開口２３との作用によって、回転筒１７が回転すると、第２レンズ筒１４が固定筒１６に対して光軸２０の方向に直進的に移動する。
【００３７】
また、この第２レンズ筒１４には、固定筒１６との間に一対のバネ３７が掛けられている。このバネ３７は、光軸２０の回りの２分割位置に設けられており、第２レンズ筒１４を結像面側に向けて付勢する。
【００３８】
また、この第２レンズ筒１４には、その前端に腕部３８が一体的に形成されている。この腕部３８は、第２レンズ筒１４の外周の２カ所に所定の間隔をもって形成されており、第２レンズ筒１４の前端から細幅で被写体側に延びた形状となっている。
【００３９】
腕部３８の先端部外周には、直進ガイド突起３０が一体的に形成されている。この直進ガイド突起３０は、第１レンズ筒１３の内周面に形成された直進ガイド溝２７に係合されており、その両側壁面３０ａ、３０ｂ（図６参照）は、直進ガイド溝２７の内壁面２７ａ、２７ｂに当接されている。第１レンズ筒１３は、この直進ガイド突起３０と直進ガイド溝２７との作用によって、第２レンズ筒１４に対して光軸２０の方向に直進的にガイドされる。
【００４０】
ここで、第２レンズ筒１４は、プラスチック材料等の弾性を有する材料で金型形成されている。そして、各腕部３８は、その先端が径方向の外に向けて広がった状態で形成されている。このため、直進ガイド突起３０が直進ガイド溝２７に係合されると、直進ガイド溝２７の底面２７ｃは、直進ガイド突起３０の外周面３０ｃによって径方向の外側に向けて押圧される。この結果、第１レンズ筒１３が第２レンズ筒１４に対して互いに傾かないように支持される。
【００４１】
ところで、上記のように直進ガイド突起３０は、直進ガイド溝２７の底面２７ｃを径方向に押圧しながら摺動するが、その摺動部を面接触させて摺動させると、第１レンズ筒１３と第２レンズ筒１４との相対的な移動及び回転筒１７の回転に負荷がかかり、変倍スピードが低下するおそれがある。
【００４２】
そのため、摺動抵抗を減少するために、直進ガイド突起３０の外周面３０ｃは、半球状に形成されている。すなわち、その光軸２０の方向に沿った断面と、光軸２０に交差する方向の断面とが、それぞれ円弧状に形成されている。これにより、第１レンズ筒１３と第２レンズ筒１４との相対的な移動と回転筒１７の回転とをスムーズに行うことが可能になる。
【００４３】
第２レンズ１２は、第２レンズ筒１４内を光軸２０の方向に移動自在に設けられている。詳しくは、図３〜図５に示されるように、第２レンズ１２は、第２レンズ筒１４内に配設された第２レンズ枠３３に保持されている。この第２レンズ枠３３は、送りネジ３１とガイド棒３２とによって第２レンズ筒１４内を光軸２０の方向に沿って移動自在に支持されている。送りネジ３１はフォーカス用モータ３４の出力軸に連結されており、このフォーカス用モータ３４に駆動されることによって回転する。そして、この送りネジ３２が回転することによって、そのリードに従って第２レンズ１２が光軸２０の方向に移動する。
【００４４】
なお、この第２レンズ１２の移動は、第２レンズ筒１４に対して結像面１０ａ側に最も寄った『原点位置』と、この原点位置から被写体側に離れた位置との間で行われる。そして、変倍時には第２レンズ１２は原点位置に位置される。
【００４５】
絞りシャッターユニット１８は、第２レンズ枠３３に取り付けられている。この絞りシャッターユニット１８は、図示しない絞りとシャッターとを備えており、それぞれ図示しない絞り用モータとシャッター用モータとに駆動されて作動する。
【００４６】
また、この絞りシャッターユニット１８はプログラム式であり、カメラ本体側の制御部から出力される動作信号に基づいて作動する。そして、この動作信号は第２レンズ筒１４内に配設されたフレキシブルプリント基板６０を介してカメラ本体側から絞りシャッターユニット１８に伝達される。
【００４７】
フレキシブルプリント基板６０は、図３〜図５に示されるように、第２レンズ筒１４の内周面に沿って光軸２０と平行に配設されており、その一端は絞りシャッターユニット１８に連結されている。一方、その他端は、カメラ本体に設けられた基板に接続固定され、これにより、絞りシャッターユニット１８とカメラ本体の制御部とが電気的に接続される。
【００４８】
なお、このフレキシブルプリント基板６０は、ズームや沈胴などによる移動に耐えうるようループ６０ｄをもって配設され、その移動に伴う暴れを防止するために挿通路６２に通される。
【００４９】
挿通路６２は、図３〜図５に示されるように、光軸２０の方向に沿って第２レンズ筒１４の内周部に一体的に形成されている。そして、その形状は、図６、図１３及び図１４に示されるように、第２レンズ筒１４の内周面の一部を利用して外周断面が略矩形状に形成されている。なお、図１３（ａ）は挿通路６２の斜視図であり、図１３（ｂ）は（ａ）のＡ−Ａ線矢視図である。また、図１４は挿通路６２の使用状態を示す斜視図である。
【００５０】
挿通路６２は、その内周部の全幅を有する下段部である下挿通路６５ａと、中央部近傍の隔壁である左右仕切板６４によって左右に分割された上段部と、の上下二段で構成されている。すなわち、上段部と下段部とは挿通路６２の全長に達しない長さの上下仕切板６３で光軸２０の方向に沿って仕切られており、上段部において左右仕切板６４によって、光軸２０の方向に沿って右挿通路６５ｂと左挿通路６５ｃとに分割されている。
【００５１】
なお、「上段部」及び「下段部」と上下方向を示しているが、挿通路６２の構成を説明するための便宜的な称呼であり、実際の使用時においては、上下が逆転したり、左右になったりすることはある。
【００５２】
図１３（ｂ）において、上下仕切板６３の左端部（一端部）は挿通路６２の左端部（一端部）と略同一長手方向位置に配されている。一方、上下仕切板６３の右端部（他端部）は挿通路６２の内部で止まっている。また、上下仕切板６３の右端部（他端部）と挿通路６２右端部（他端部）との間における左右仕切板６４（隔壁）の端辺形状は、上下仕切板６３の右端部と挿通路６２上部の右端部とを結ぶ段差部のないゆるやかな曲線形状となっている。
【００５３】
なお、以上に説明した挿通路６２の構成に対応する効果については、後述するレンズ装置２の組立方法についての説明で詳述する。
【００５４】
ところで、フレキシブルプリント基板６０は、レンズ装置２の組み立てに際して、図１２に示されるように、あらかじめその一端が絞りシャッターユニット１８に接続されて絞りシャッターユニット１８に一体化される。そして、レンズ装置２の組み立て時には、この絞りシャッターユニット１８を第２レンズ枠３３に取り付けたのち、他端を挿通路６２に通し、固定筒１６に接する部分を固定して、カメラ本体に設けられた基板に接続固定する。
【００５５】
ここで、図１２に示されるように、フレキシブルプリント基板６０は帯状に形成されるが、その幅は一定ではなく、両端の接続部６０ａ（図１２では片側のみ図示）は、機器への接続のため中間部６０ｂの幅よりも広く形成される。このため、図１４に示されるように、挿通路６２はフレキシブルプリント基板６０の接続部６０ａが挿通できるようにするために、その横幅Ｄ１　が接続部６０ａの横幅ｄ１　と略同じかやや大きめに形成されている。
【００５６】
一方、このように挿通路６２の横幅Ｄ１　をフレキシブルプリント基板６０の接続部６０ａの横幅ｄ１　と略同じに形成すると、挿通路６２に挿通された中間部６０ｂが遊びを持ってしまうという問題がある。
【００５７】
そこで、挿通路６２の上段部を左右仕切板６４によって、光軸２０の方向に沿って右挿通路６５ｂと左挿通路６５ｃとに分割し、左右仕切板６４によって挿通路６２上段部の横幅を縮小させるようにする。これにより、挿通路６２に挿通されたフレキシブルプリント基板６０の中間部６０ｂは、幅方向の遊びがなくなり、安定して移動できるようになる。
【００５８】
なお、このように中間部６０ｂの遊びをなくすようにするために、左右仕切板６４は、図１４に示されるように、仕切板６４と挿通路６２の内壁面との間で形成される横幅Ｄ２　が、フレキシブルプリント基板６０の中間部６０ｂの横幅ｄ２　と略同じ幅になるような位置に設ける。
【００５９】
図１５は、第２レンズ筒１４の概略を示す図であり、（ａ）は平面図であり、（ｂ）は図６と同様に光軸２０の前方から見た図である。既述のフレキシブルプリント基板６０と異なり、同図において、フレキシブルプリント基板６１が光軸２０の円周方向に配されている。その際、このフレキシブルプリント基板６１の暴れを防止できるように、平板状の張出し部材である第１のガイド突起６６及び第２のガイド突起６８が、それぞれが光軸２０に平行に、かつ、フレキシブルプリント基板６１の配設位置の外周側に設けられている。
【００６０】
図７は、固定筒１６に設けられた移動筒用カム２４の構成を示した展開図である。同図に示されるように、移動筒用カム２４は、収納用案内部４０と移動筒用移動阻止部４１とから構成されている。
【００６１】
収納用案内部４０は、『収納回転域』での回転筒１７の回転により、移動筒カムフォロア２５が摺動する範囲である。この収納用案内部４０は、固定筒１６に対して移動筒１５を内部に退避させた『退避位置』と、被写体側に繰り出した『突出位置』との間で光軸２０の方向に移動させる。移動筒１５が退避位置のときには、レンズ装置２が沈胴位置の状態となる。
【００６２】
移動筒用移動阻止部４１は、『変倍回転域』での回転筒１７の回転により、移動筒カムフォロア２５が摺動する範囲であり、移動筒１５の光軸２０の回りの回転を許容し、かつ、移動筒１５の光軸２０の方向への移動を阻止するように、光軸２０の回りの方向に沿って円弧状となっている。すなわち、移動筒１５は、レンズ装置２がテレ位置とワイド位置との間で変倍される間で『突出位置』に維持される。
【００６３】
図８は、移動筒１５に設けられた第１レンズ用カム２６の構成を示した展開図である。同図に示されるように、第１レンズ用カム２６は、収納準備案内部４２、第１レンズ用移動阻止部４３及び変倍用案内部４４とから構成されている。
【００６４】
収納準備案内部４２は、『初期位置』と『中間位置』との間の『回転位置Ａ』までの回転筒１７の回転域に対応した移動筒１５の回転域で、第１レンズ用カムフォロア２８が摺動する範囲である。この収納準備案内部４２は、移動筒１５に対して第１レンズ筒１３を内部に退避させた『退避位置』と被写体側に僅かに突出した『収納準備位置』との間で移動させる。第１レンズ筒１３が『退避位置』のときには、レンズ装置２が沈胴位置の状態となる。
【００６５】
第１レンズ用移動阻止部４３は、回転筒１７の『収納回転域』に応じた移動筒１５の回転域で第１レンズ用カムフォロア２８が摺動する範囲である。この第１レンズ用移動阻止部４３は、移動筒１５の回転を許容しながら第１レンズ筒１３が『収納準備位置』から光軸２０の方向に移動しないように、光軸２０の回りの方向に沿って円弧状に形成されている。すなわち、第１レンズ筒１３は、レンズ装置２が沈胴位置からテレ位置の状態となるまでの間で『収納準備位置』に維持される。第１レンズ用移動阻止部４３は、回転筒１７が『回転位置Ａ』から『中間位置』までの範囲で回転する域で第１レンズ筒１３を『収納準備位置』に維持する。
【００６６】
変倍用案内部４４は、回転筒１７の『変倍回転域』に応じた移動筒１５の回転域で第１レンズ用カムフォロア２８が摺動する範囲である。この変倍用案内部４４は、焦点距離を変更するために第１レンズ筒１３を光軸２０の方向に移動させる形状となっている。なお、前述した収納準備案内部４２は必ずしも必要はなく、これを省略して回転筒１７の『収納回転域』に応じた移動筒１５の回転域の全部を第１レンズ用移動阻止部４３としてもよい。
【００６７】
図９は、第２レンズ用カムフォロアユニット２９の要部の構成を示した斜視図である。同図に示されるように、第２レンズ用カムフォロアユニット２９は、光軸２０の方向に所定間隔離して配置した２つの主カムフォロア４６と副カムフォロア４７とで構成されている。
【００６８】
主カムフォロア４６と副カムフォロア４７とには、それぞれ第１係合部４８、４９と第２係合部５０、５１とが設けられている。第１係合部４８、４９は、互いに径が同じとなっており、それぞれ第２レンズ用直進ガイド開口２３（図７参照）に係合する。第２係合部５０、５１は、互いに先細テーパ形状の断面円錐台形（截頭円錐形）となっており、主カムフォロア４６の方が被写体側の副カムフォロア４７よりも径が大きくなっている。なお、第１係合部４８、４９のうちの何れか一方が第２レンズ用直進ガイド開口２３に係合していればよいから、図９に示されるように第１係合部４８、４９の何れか一方を細くしてもよい。
【００６９】
図１０は、第２レンズ用カムユニット２１の要部の構成を示した展開図である。同図に示されるように、第２レンズ用カムユニット２１は、副カム溝５４と主カム溝５５とで構成されている。
【００７０】
副カム溝５４には、副カムフォロア４７の第２係合部５１が入り込み、主カム溝５５には、主カムフォロア４６の第２係合部５０が入り込む。この副カム溝５４と主カム溝５５とは、焦点距離を変更するために第２レンズ１２を光軸２０の方向に移動させる変倍用案内部５６、５７と、変倍用案内部５６、５７から『収納位置』に第２レンズ１２を移動させる収納用案内部５８、５９とから構成されている。
【００７１】
変倍用案内部５６、５７は、回転筒１７が『変倍回転域』の範囲で『終端位置』に向けて回転したときに、第２レンズ筒１４を結像面側に向けて繰り込む『繰込み方向』に向けて移動させる曲線状の軌跡となっている。
【００７２】
収納用案内部５８、５９は、直線部５８ａ、５９ａと屈曲部５８ｂ、５９ｂとを有している。
【００７３】
直線部５８ａ、５９ａは、『初期位置』から『回転位置Ｂ』までの範囲で回転筒１７を『中間位置』に向けて回転させたときに、第２レンズ筒１４を被写体側に向けて繰り出す『繰出し方向』に案内する直線軌跡となっている。
【００７４】
一方、屈曲部５８ｂ、５９ｂは、『回転位置Ｂ』から『中間位置』までの範囲で『中間位置』に向けて回転筒１７を回転したときに、第２レンズ筒１４を結像面側に向けて繰り込む『繰込み方向』に移動させるように第２レンズ筒１４の移動方向を変更する湾曲状の軌跡となっている。
【００７５】
ところで、この屈曲部５８ｂ、５９ｂでの主カムフォロア４６と副カムフォロア４７の移動軌跡は、凸を被写体側に向けた姿勢の湾曲状となる。そして、主カムフォロア４６に対して副カムフォロア４７の径を小さくした分だけ、主カムフォロア４６の移動軌跡のうちの最も結像面側を通る移動軌跡の曲率半径は、副カムフォロア４７の移動軌跡のうちの最も結像面側を通る移動軌跡の曲率半径よりも小さくなる。
【００７６】
副カム溝５４は、屈曲部５８ｂの範囲では、副カムフォロア４７の第２係合部５１と同じ幅で形成され、また屈曲部５８ｂ以外の範囲では、副カムフォロア４７の第２係合部５１の径よりも幅広に形成されている。したがって、副カム溝５４は、屈曲部５８ｂの範囲で副カムフォロア４７の第２係合部５１に係合し、また、屈曲部５８ｂ以外の範囲では係合しない。
【００７７】
主カム溝５５は、屈曲部５９ｂ以外の範囲で主カムフォロア４６の第２係合部５０に係合する幅で形成され、また、屈曲部５９ｂの範囲で主カムフォロア４６の第２係合部５０の径よりも幅広に形成されている。このため、主カムフォロア４６の第２係合部５０は、主カム溝５５のうちの屈曲部５９ｂ以外の範囲で係合する。このように、第２レンズ筒１４の移動方向を変更する屈曲部５８ｂ、５９ｂでは曲率半径の大きい副カム溝５４を使用するから、第２レンズ筒１４をスムーズに移動することができる。
【００７８】
なお、屈曲部５８ｂ、５９ｂと変倍用案内部５６、５７又は収納用案内部５８ａ、５９ａとの境界の僅かな範囲で、第２係合部５１、５２とがそれぞれ重複して係合する部分を設けてもよい。
【００７９】
次に、前記のごとく構成されたレンズ装置２の作用について説明する。
【００８０】
レンズ装置２が沈胴位置の状態では、図３に示されるように、移動筒１５と第１レンズ筒１３とは、それぞれ固定筒１６の内部に収納されている。
【００８１】
ズーム用モータ１９（図２参照）を駆動して、回転筒１７を『初期位置』から『終端位置』に向けて回転させると、その回転筒１７の回転が移動筒用直進ガイド溝２２（図１０参照）を介して移動筒カムフォロア２５に伝達される。これにより、移動筒１５が回転筒１７に連動して回転する。
【００８２】
この移動筒１５は、その外周部に設けられた移動筒カムフォロア２５が、回転筒１７に形成された移動筒用直進ガイド溝２２と、固定筒１６に形成された移動筒用カム２４（図７参照）とに係合されているため、回転すると、その回転に伴って光軸２０の方向へと移動する。
【００８３】
一方、第１レンズ筒１３は、その外周部に設けられた第１レンズ用カムフォロア２８が移動筒１５に形成された第１レンズ用カム２６（図８参照）に係合されるとともに、その内周面に形成された直進ガイド溝２７が第２レンズ筒１４に形成された直進ガイド突起３０に係合されているため、移動筒１５が回転すると、その移動筒１５に対して光軸２０の方向に直進的に移動する。
【００８４】
また、第２レンズ筒１４は、その外周部に設けられた主カムフォロア４６が第２レンズ用直進ガイド開口２３と主カム溝５５とに係合しているため、回転筒１７が回転すると、これに連動して光軸２０の方向へと直進的に移動する。
【００８５】
図１１は、第１レンズ筒１３、第２レンズ筒１４及び移動筒１５等の移動軌跡を示した説明図である。
【００８６】
同図において、太線（Ｅ）は、第１レンズ筒１３の移動軌跡を表しており、太線（Ｆ）は、第２レンズ筒１４の移動軌跡を表している。また、細線（Ｇ）は、移動筒１５に対する第１レンズ筒１３の移動軌跡を表しており、細線（Ｊ）は、移動筒１５の移動軌跡を表している。
【００８７】
レンズ装置２が『初期位置』（沈胴位置）の状態において、第２レンズ筒１４は、結像面側に最も寄った『収納位置Ｃ』に位置し、第１レンズ筒１３は、第２レンズ筒１４に接近した『収納位置Ｄ』に位置する。
【００８８】
回転筒１７が『初期位置』から『回転位置Ａ』に回転する間、第１レンズ筒１３の外周部に設けられた第１レンズ用カムフォロア２８は、第１レンズ用カム２６（図８参照）の収納準備案内部４２を摺動する。このため、第１レンズ筒１３は、回転筒１７が『初期位置』から『回転位置Ａ』に回転する間に、細線（Ｇ）のうちの『退避位置Ｈ』から『収納準備位置Ｉ』に繰り出される。
【００８９】
一方、この間、移動筒１５の外周部に設けられた移動筒カムフォロア２５は、移動筒用カム２４（図７参照）の収納用案内部４０を摺動する。このため、移動筒１５は、回転筒１７が『初期位置』から『回転位置Ａ』に回転する間に、細線（Ｊ）のうちの『退避位置Ｋ』から『突出位置Ｌ』に向けて繰り出される。
【００９０】
ここで、第１レンズ筒１３は、移動筒１５に支持されているので、第１レンズ筒１３の移動は、移動筒１５の繰り出し分に、第１レンズ筒１３の『収納準備位置Ｉ』までの繰り出し分を加えた分で光軸２０の方向に移動し、太線（Ｅ）のうちの位置Ｍに移動する。
【００９１】
回転筒１７が『回転位置Ａ』から『中間位置』まで回転する間、第１レンズ筒１３に設けられた第１レンズ用カムフォロア２８は、第１レンズ用カム２６（図８参照）の第１レンズ用移動阻止部４３を摺動する。このため、第１レンズ筒１３は、移動筒１６に対する光軸２０の方向の移動が阻止される。したがって、この間、第１レンズ筒１３は、移動筒１５とともに移動する。
【００９２】
回転筒１７が『初期位置』から『回転位置Ｂ』まで回転する間、第２レンズ筒１４は、主カム溝５７（図１０参照）に係合する主カムフォロア４６によって移動される。
【００９３】
一方、回転筒１７が『回転位置Ｂ』に回転すると、第２レンズ用カムフォロアユニット２９が第２レンズ用カムユニット２１のうちの第２レンズ筒１４の移動方向を変更する屈曲部５８ｂ、５９ｂに入り込む。そして、この第２レンズ用カムフォロアユニット２９が屈曲部５８ｂ、５９ｂに入り込むと、主カム溝５５と主カムフォロア４６との係合が解除され、副カム溝５４と副カムフォロア４７とが係合する。このため、第２レンズ用カムユニット２１の屈曲部５８ｂ、５９ｂでは、副カム溝５４に係合する副カムフォロア４７によって第２レンズ筒１４が移動される。
【００９４】
ここで、この副カム溝５４は、屈曲部５８ｂにおいて対向壁面のうちの内面が主カム溝５５よりも曲率半径が大きくなっている。したがって、屈曲部５８ｂ、５９ｂでは、曲率半径の小さい主カム溝５５の屈曲部５９ｂに係合させるのと比較して曲率半径の大きい副カム溝５４の屈曲部５８ｂに係合させるから第２レンズ筒１４をスムーズに移動させることができ、また回転筒１７の回転負荷も減少させることができる。
【００９５】
回転筒１７が『中間位置』に回転すると、図４に示されるように、レンズ装置２がテレ位置の状態となる。この状態において、移動筒１５は固定筒１６に対して『突出位置Ｌ』に移動される。
【００９６】
また、回転筒１７が『回転位置Ａ』から『回転位置Ｂ』へ回転する間、第１レンズ筒１３は移動筒１５に対して光軸２０の方向への移動がないから、細線（Ｇ）のうちの『収納準備位置Ｉ』に位置する。したがって、この間、第１レンズ筒１３は、移動筒１５の移動分だけ光軸２０の方向に移動され、太線（Ｅ）のうちの位置Ｏに移動する。
【００９７】
また、レンズ装置２がテレ位置の状態になった時点で副カムフォロア４７と副カム溝５４との係合が解除され、その代わりに主カムフォロア４６が主カム溝５５に係合する。この係合する位置は、屈曲部５９ｂと変倍用案内部５７との境界の位置となり、第２レンズ筒１４は、太線（Ｆ）のうちの位置Ｎに位置する。
【００９８】
このように、回転筒１７の『収納回転域』での回転中、第１レンズ１１は移動筒１５に対する第１レンズ筒１３の移動が止められ、固定筒１６に対する移動筒１５の移動だけによって光軸２０の方向に移動される。
【００９９】
レンズ装置２がテレ位置の状態となった後は、回転筒１７は『変倍回転域』で回転される。
【０１００】
回転筒１７が『変倍回転域』で回転すると、移動筒１５の外周部に設けられた移動筒カムフォロア２５は、移動筒用カム２４（図１０参照）のうちの移動筒用移動阻止部４１を摺動する。このため、移動筒１５は『突出位置Ｌ』に維持される。
【０１０１】
また、回転筒１７が『変倍回転域』で回転すると、第１レンズ筒１３の外周部に設けられた第１レンズ用カムフォロア２８は、第１レンズ用カム２６（図８参照）のうちの変倍用案内部４４を摺動する。このため、第１レンズ筒１３は、変倍用案内部４４の光軸２０の方向での変位に応じた分だけ移動筒１５に対して光軸２０の方向に移動される。
【０１０２】
したがって、回転筒１７の『変倍回転域』での回転中、第１レンズ１１は、固定筒１６に対する移動筒１５の移動が止められ、移動筒１５に対する第１レンズ筒１３の移動だけによって光軸２０の方向に移動される。
【０１０３】
また、回転筒１７が『変倍回転域』で回転すると、第２レンズ筒１４に設けられた主カムフォロア４６は、主カム溝５５（図１０参照）のうちの変倍用案内部５７を摺動する。このため、第２レンズ筒１４は、その変倍用案内部５７の光軸２０の方向での変位に応じて移動される。
【０１０４】
第１レンズ筒１３と第２レンズ筒１４とは、変倍時、これらの間隔が異なるように互いに光軸２０の方向に移動される。この間、第２レンズ筒１４は、バネ３７の光軸２０の方向への付勢によって第２レンズ用カムフォロアユニット２９と第２レンズ用カムユニット２１とのガタが吸収され、かつ、固定筒１６に対する傾きも補正されている。そして、第１レンズ筒１３は、第２レンズ筒１４の直進ガイド突起３０によって光軸回りの回転が止められ、かつ、径方向に向けて押圧されているから、変倍中に第１レンズ１１の光軸が第２レンズ１２の光軸に対して傾くことを極力抑えることができる。
【０１０５】
次に、前記のごとく構成されたレンズ装置２の組立方法について説明する。
【０１０６】
まず、第２レンズ筒１４に組み付けられた第２レンズ枠３３に絞りシャッターユニット１８を取り付ける。なお、この絞りシャッターユニット１８には、図１２に示されるように、あらかじめフレキシブルプリント基板６０の一端を接続しておく。
【０１０７】
次に、図１４（ａ）、（ｂ）に示されるように、絞りシャッターユニット１８に取り付けられたフレキシブルプリント基板６０の先端の接続部６０ａを第２レンズ筒１４に形成された挿通路６２の下挿通路６５ａに左側（一端部側）より通す。この際、下挿通路６５ａは、フレキシブルプリント基板６０の接続部６０ａの幅とほぼ同じ横幅をもって形成されているため、その接続部６０ａを無理なく挿通することができる。
【０１０８】
次に、同図（ｂ）に示されるように、挿通路６２の右側（他端部側）のフレキシブルプリント基板６０の中間部６０ｂを所定位置で一度折り曲げ、中間部６０ｂに折曲部６０ｃを設けループ６０ｄを形成して、折曲部６０ｃを上段部の右挿通路６５ｂ又は左挿通路６５ｃのいずれかに（図示は右挿通路６５ｂ）上段部の右側（他端部側）より挿通させる。
【０１０９】
このように組み立てることにより、従来例で問題であった図１７（ｃ）に示されるようにループ６０ｄが挿通路１０２の空隙１０４から外れ、その結果、フレキシブルプリント基板６０の暴れが生じてしまうという欠点は生じない。すなわち、フレキシブルプリント基板６０のループ６０ｄが上下仕切板６３の右端部（他端部）に係合し、フレキシブルプリント基板６０が挿通路６２から外れることはない。また、挿通路６２の上段部が２分割され、その横幅が縮小化されている。そして、この結果、挿通路６２内に挿通されたフレキシブルプリント基板６０の中間部６０ｂの幅方向の遊びがなくなる。
【０１１０】
なお、図示の例では、２枚のフレキシブルプリント基板６０、６０が挿通路６２に挿通されている。すなわち、それぞれのフレキシブルプリント基板６０の中間部６０ｂが、右挿通路６５ｂと左挿通路６５ｃにそれぞれ挿通され、相互に干渉しない状態となっている。
【０１１１】
次に、第２レンズ筒１４を第１レンズ筒１３の内周部に嵌め込む。この際、第２レンズ筒１４の腕部３８に設けられた直進ガイド突起３０が第１レンズ筒１３の内周面に形成された直進ガイド溝２７に係合するように、第２レンズ筒１４を第１レンズ筒１３の内周部に嵌め込む。
【０１１２】
次に、第１レンズ筒１３を移動筒１５の内周部に嵌め込む。この際、第１レンズ筒１３の外周部に形成された第１レンズ用カムフォロア２８が、移動筒１５の内周部に形成された第１レンズ用カム２６に係合するように、第１レンズ筒１３を移動筒１５に嵌め込む。
【０１１３】
次に、移動筒１５を固定筒１６の内周部に嵌め込む。この際、移動筒１５の外周部に形成された移動筒カムフォロア２５が、固定筒１６に形成された移動筒用カム２４に係合するように移動筒１５を固定筒１６に嵌め込むとともに、第２レンズ筒１４に形成された第２レンズ用カムフォロアユニット２９が、固定筒１６に形成された第２レンズ用直進ガイド開口２３に係合するように、移動筒１５を固定筒１６に嵌め込む。
【０１１４】
次に、固定筒１６を回転筒１７の内周部に嵌め込む。この際、第２レンズ筒１４に形成された第２レンズ用カムフォロアユニット２９が、回転筒１７に形成された第２レンズ用カムユニット２１に係合するように、固定筒１６を回転筒１７に嵌め込む。
【０１１５】
次に、挿通路６２に挿通されたフレキシブルプリント基板６０の固定筒１６と接する部分を固定筒１６に固定する。そして、先端の接続部６０ａをカメラ本体の基板に接続固定する。
【０１１６】
以上により、レンズ装置２が組み上がる。このように、本実施の形態のレンズ装置２によれば、フレキシブルプリント基板６０を通す挿通路６２が、左右仕切板６４によって、その内周部の横幅を縮小化できるので、先端の接続部６０ａが中間部６０ｂよりも幅広に形成されていても、無理なくスムーズに挿通路６２に挿通することができる。これにより、レンズ装置２を簡単に組み立てることができるようになり、生産性が向上する。
【０１１７】
また、左右仕切板６４が挿通された挿通路６２は、内部が２分割されて完全な筒状となる。このため、従来のように左右仕切板６４の上部に隙間が形成され、その隙間にフレキシブルプリント基板６０が引っ掛かって破損するようなこともない。
【０１１８】
なお、本実施の第一の形態では、挿通路６２の上段部に左右仕切板６４（隔壁）が１枚のみ設けられる例で説明したが、複数枚設けられるようにしてもよい。これにより、挿通路６２内に複数のフレキシブルプリント基板の挿通路を形成できる。
【０１１９】
また、上段部と下段部とは上下仕切板６３により仕切られており、上下仕切板６３とフレキシブルプリント基板６０のループ６０ｄとが係合することにより、従来例（図１７（ｃ）参照）のようにフレキシブルプリント基板のループが挿通路から外れることはない。
【０１２０】
さらに、下挿通路６５ａ（下段部）は内周部の全幅を有するので、フレキシブルプリント基板６０の幅広部６０ａを簡便に挿通でき、短時間でレンズ装置２を組み立てることができる。
【０１２１】
次に、図１８〜図２２により、本発明に係るレンズ装置及びその組立方法の他の実施の形態（本実施の第二の形態）について説明する。ただし、本実施の第一の形態とかなりの部分で構成が共通することより、同一、類似の部材については同様の符号を附し、その説明を省略する。なお、図２０は沈胴位置の状態の、図２１はテレ位置の状態の、図２２はワイド位置の状態のレンズ装置２をそれぞれ示した断面図であり、それぞれ、本実施の第一の形態の図３、図４及び図５に対応する。
【０１２２】
先ず、本実施の第二の形態を採用した理由について説明する。図２３は、ズームレンズ装置の一例を示す断面図であり、図５に示されるワイド位置の状態のレンズ装置（実施の第一の形態）を示した断面図と略同様の構成のものである。ただし、実施の第一の形態では挿通路６２が第２レンズ筒１４の内周部の後方（結像面側）に設けられているのに対し、図２３の構成では挿通路６２が、第一の形態より第２レンズ筒１４の内周部の前方（被写体側）に設けられている点で相違する。
【０１２３】
このようなズームレンズ装置において、ワイド位置の状態より沈胴位置の状態に移動させた場合、フレキシブルプリント基板６０がレンズ装置内部で干渉する可能性がある。すなわち、図２３の円内において、第１レンズ筒１３の後端部又は移動筒１５の第１レンズ用カム２６がフレキシブルプリント基板６０の折曲部６０ｃと干渉し、これ以上第１レンズ筒１３又は移動筒１５が右方（結像面側）に移動できない状態となっている。
【０１２４】
本実施の第二の形態は、このような構成においても本発明の効果が好適に得られるように採用されたものである。同実施の形態において、実施の第一の形態と大きく相違するのは、図１８に示される第１レンズ筒１３の後端部に設けられた所定幅の張り出しカバー部１３Ａと、図１９に示される挿通路１６２の形状である。なお、図１８は、第１レンズ筒１３を後方（結像面側）から見た斜視図である。
【０１２５】
図２２に示されるように、ワイド位置の状態においても、第１レンズ筒１３の後端部に設けられた所定幅の張り出しカバー部１３Ａは移動筒１５の第１レンズ用カム２６を覆っており、フレキシブルプリント基板６０の折曲部６０ｃが第１レンズ用カム２６と干渉することはない。また、第１レンズ筒１３の後端部に設けられた所定幅の張り出しカバー部１３Ａの先端（右端）はフレキシブルプリント基板６０の折曲部６０ｃよりも後方（結像面側）側に位置しており、両者が干渉することはない。
【０１２６】
挿通路１６２は、図３〜図５に示されている挿通路６２と同様に、光軸２０の方向に沿って第２レンズ筒１４の内周部に一体的に形成されている。そして、その形状は、図１９に示されるように、外周断面が略矩形状に形成されている。なお、図１９（ａ）は挿通路１６２の斜視図であり、図１９（ｂ）は（ａ）のＢ−Ｂ線矢視図である。
【０１２７】
挿通路１６２は、その内周部の全幅を有する下段部である下挿通路１６５ａと、中央部近傍の隔壁である左右仕切板１６４によって左右に分割された上段部と、の上下二段で構成されている。すなわち、上段部と下段部とは挿通路１６２の全長に達しない長さの上下仕切板１６３で光軸２０の方向に沿って仕切られており、上段部において左右仕切板１６４によって、光軸２０の方向に沿って右挿通路１６５ｂと左挿通路１６５ｃとに分割されている。
【０１２８】
なお、挿通路６２と同様、「上段部」及び「下段部」と上下方向を示しているが、挿通路１６２の構成を説明するための便宜的な称呼であり、実際の使用時においては、上下が逆転したり、左右になったりすることはある。
【０１２９】
図１９（ｂ）において、上下仕切板１６３の左端部（一端部）は挿通路１６２の内部で止まっている。同様に、上下仕切板１６３の右端部（他端部）は挿通路１６２の内部で止まっている。また、上下仕切板１６３の左端部（一端部）と挿通路１６２左端部（一端部）との間における左右仕切板１６４（隔壁）の端辺形状は、上下仕切板１６３の左端部と挿通路１６２上部の左端部とを結ぶ段差部のないゆるやかな曲線形状１６４ａとなっている。同様に、上下仕切板１６３の右端部（他端部）と挿通路１６２右端部（他端部）との間における左右仕切板１６４（隔壁）の端辺形状は、上下仕切板１６３の右端部と挿通路１６２上部の右端部とを結ぶ段差部のないゆるやかな曲線形状１６４ｂとなっている。
【０１３０】
以上に説明した挿通路１６２の構成に対応する効果については、既述の本実施の第一の形態と略同様であるので詳細な説明は省略する。ただし、既述したように、挿通路１６２において、左右仕切板１６４（隔壁）両端部の端辺形状は、上下仕切板１６３の両端部と挿通路１６２上部の両端部とを結ぶ段差部のないゆるやかな曲線形状となっている。これにより、第一の形態より更に、フレキシブルプリント基板６０のループ６０ｄが引っ掛かる不具合が生じることはない。
【０１３１】
次に、張り出しカバー部１３Ａ及び挿通路１６２以外の構成において、本実施の第二の形態が実施の第一の形態と相違する個所について説明する。実施の第一の形態は、２群構成のズームレンズとされているが、本実施の第二の形態では、３群構成のズームレンズとされている。
【０１３２】
すなわち、実施の第一の形態においては、レンズ装置２は、第１レンズ筒１３に固定保持される第１レンズ１１と、第２レンズ筒１４に保持されるとともに、フォーカス用モータ３４の駆動によって光軸２０の方向に沿って移動自在に支持される第２レンズ１２の２群構成のズームレンズとなっている。
【０１３３】
これに対し、本実施の第二の形態においては、レンズ装置２は、第１レンズ筒１３に固定保持される第１レンズ１１と、第２レンズ筒１４に固定保持される第２レンズ１２と、第２レンズ筒１４にガイド部材９１、フォーカスレンズ枠９２を介して保持されるとともに、図示しないモータの駆動によって光軸２０の方向に沿って移動自在に支持されるフォーカスレンズ９０の３群構成のズームレンズとなっている。このような構成のレンズ装置２であっても、本発明の効果が充分に得られる。
【０１３４】
本実施の第一及び第二の形態では、本発明を絞りシャッターユニットに接続されるフレキシブルプリント基板用の挿通路に適用した例に説明したが、他の機器に接続するフレキシブルプリント基板用の挿通路にも同様に適用することができる。
【０１３５】
なお、上記の実施の第一及び第二の形態では、第１レンズ筒１３の内側に第２レンズ筒１４を配置した構成としているが、これらを逆に配置し、第１レンズ筒１３の外周に直進ガイド溝を設け、これらの直進ガイド溝に第２レンズ筒１４の直進ガイド突起を外側から係合させてもよい。
【０１３６】
また、上記の実施の第一及び第二の形態では、第１レンズ筒１３に直進ガイド溝２７を設け、第２レンズ筒１４に直進ガイド突起３０を設けているが、逆に第１レンズ筒１３に直進ガイド突起を設け、第２レンズ筒１４に直進ガイド溝を設けてもよい。
【０１３７】
さらに、ズームレンズカメラに限らず、例えばテレ位置、ワイド位置、及び沈胴位置とに切り換わる２焦点カメラにも本発明を適用することができる。
【０１３８】
また、上記の実施の第一及び第二の形態では、沈胴位置とワイド位置との間にテレ位置を設定しているが、沈胴位置とテレ位置との間にワイド位置を設定することも可能である。この場合には変倍用案内部と収納用案内部との境界がワイド位置となる。
【０１３９】
また、上記の実施の第一及び第二の形態では、直進ガイド溝２７、腕部３８及び直進ガイド突起３０を光軸回りの２箇所の位置に設けているが、直進ガイド溝２７、腕部３８及び直進ガイド突起３０は、それぞれ光軸回りの３分割位置に設けてもよい。
【０１４０】
【発明の効果】
以上説明したように、本発明によれば、レンズ鏡筒内にはフレキシブルプリント基板の挿通路が形成されている。そしてその挿通路は、内周部の全幅を有する下段部と、中央部近傍の隔壁で左右に分割された上段部と、の上下二段で構成されている。
【０１４１】
たとえば、両端部が幅広に形成されたフレキシブルプリント基板を挿通路に挿通する場合は、次のように挿通することができる。すなわち、まず、下段部に該下段部の一端部側よりフレキシブルプリント基板を挿通する。次いで、その挿通したフレキシブルプリント基板の他端部側に折曲部を設け、該折曲部を左右いずれかの上段部に他端部側より挿通させる。
【０１４２】
これにより、フレキシブルプリント基板は、幅方向に遊びを持つことなく挿通路（左右いずれかの上段部）に挿通できる。
【０１４３】
また、上段部と下段部とは仕切られており、該仕切りとフレキシブルプリント基板とが係合することにより、従来例のようにフレキシブルプリント基板のループが挿通路から外れることはない。
【０１４４】
さらに、下段部は内周部の全幅を有するので、フレキシブルプリント基板の幅広部を簡便に挿通でき、短時間でレンズ装置を組み立てることができる。
【図面の簡単な説明】
【図１】電子スチルカメラの外観構成を示す斜視図
【図２】レンズ装置の分解斜視図
【図３】沈胴位置の状態のレンズ装置を示した断面図
【図４】テレ位置の状態のレンズ装置を示した断面図
【図５】ワイド位置の状態のレンズ装置を示した断面図
【図６】第１レンズ筒と第２レンズ筒とを光軸に交差する方向で切断して示した断面図
【図７】固定筒に設けた移動筒用カムを示した展開図
【図８】移動筒に設けた第１レンズ用カムを示した展開図
【図９】第２レンズ用カムフォロアユニットの要部の構成を示した斜視図
【図１０】第２レンズ用カムユニットの要部の構成を示した展開図
【図１１】第１レンズ筒、第２レンズ筒、及び移動筒等の移動軌跡を示した説明図
【図１２】一端が絞りシャッターユニットに接続されたフレキシブルプリント基板の構成を示す斜視図
【図１３】挿通路の構成を示した説明図
【図１４】レンズ装置の組み立て方法を説明する斜視図
【図１５】レンズ装置の組み立て方法を説明する概略図
【図１６】従来の挿通路の構成を示す正面図
【図１７】図１６におけるＢ−Ｂ線矢視図
【図１８】他の実施態様における第１レンズ筒の斜視図
【図１９】他の実施態様における挿通路の構成を示した説明図
【図２０】他の実施態様における沈胴位置の状態のレンズ装置を示した断面図
【図２１】他の実施態様におけるテレ位置の状態のレンズ装置を示した断面図
【図２２】他の実施態様におけるワイド位置の状態のレンズ装置を示した断面図
【図２３】フレキシブルプリント基板がレンズ装置内部で干渉した状態を示した断面図
【符号の説明】
１１…第１レンズ、１２…第２レンズ、１３…第１レンズ筒、１４…第２レンズ筒、１５…移動筒、１６…固定筒、１７…回転筒、１８…絞りシャッターユニット、２２…移動筒用直進ガイド溝、２３…第２レンズ用直進ガイド開口、２４…移動筒用カム、２７…直進ガイド溝、３０…直進ガイド突起、３７…バネ、３８…腕部、６０…フレキシブルプリント基板、６０ａ…接続部、６０ｂ…中間部、６０ｃ…折曲部、６０ｄ…ループ、６２…挿通路、６３…上下仕切板、６４…左右仕切板（隔壁）、６５ａ…下挿通路（下段部）、６５ｂ…右挿通路（上段部）、６５ｃ…左挿通路（上段部）、６６…第１のガイド突起、６８…第２のガイド突起
【図１】
2004004420.tif 000003
【図２】
2004004420.tif 000004
【図３】
2004004420.tif 000005
【図４】
2004004420.tif 000006
【図５】
2004004420.tif 000007
【図６】
2004004420.tif 000008
【図７】
2004004420.tif 000009
【図８】
2004004420.tif 000010
【図９】
2004004420.tif 000011
【図１０】
2004004420.tif 000012
【図１１】
2004004420.tif 000013
【図１２】
2004004420.tif 000014
【図１３】
2004004420.tif 000015
【図１４】
2004004420.tif 000016
【図１５】
2004004420.tif 000017
【図１６】
2004004420.tif 000018
【図１７】
2004004420.tif 000019
【図１８】
2004004420.tif 000020
【図１９】
2004004420.tif 000021
【図２０】
2004004420.tif 000022
【図２１】
2004004420.tif 000023
【図２２】
2004004420.tif 000024
【図２３】
2004004420.tif 000025